(57)【要約】【課題】座部と足置き部の高さを同じにした平らな状態と、座部より足置き部を低くした状態に組み替えられる釣り用座布団を提供することである。【解決手段】釣り用座布団は複数の厚さの異なる座布団部材Ａ、Ｂ、Ｃが周縁部の一側のエッジ部ａ、ｂ、ｃ、ｄで接続されてエッジ部ａ、ｂ、ｃ、ｄで折り曲げられて組み合わされることで高さが調整される。複数の座布団部材Ａ、Ｂ、Ｃは上部側となる外装シ−ト１、２、３と接地側となる外装シ−ト４、５、６、７が縫着されて袋状に形成されてその中にクッション材１０、１１、１２が内装されて構成され、クッション材１０、１１、１２を出し入れする開口がチャック１３、１４、１５で閉塞されている。エッジ部ａ、ｂ、ｃ、ｄにはクッション材が挿入されていない。【選択図】        図２
2004173517.tif 000002
【特許請求の範囲】
【請求項１】
複数の座布団部材をその周縁部で折り曲げ可能に接続し、座部と足置き部の高さを同じにした状態と座部より足置き部を低くした状態に組替えできることを特徴とする釣り用座布団。
【請求項２】
座布団部材は厚さの大きい座布団部材とこれより厚みの小さい２枚の座布団部材からなり、前記厚みの小さい２枚の座布団部材の厚みを合わせると前記厚さの大きい座布団部材の厚さと同じであることを特徴とする請求項１記載の釣り用座布団。
【請求項３】
厚みの小さい２枚の座布団部材は厚さの大きい座布団部材の底面側に重ねて折り畳み可能であることを特徴とする請求項１記載の釣り用座布団。
【請求項４】
厚さの大きい座布団部材より厚みの小さい２枚の座布団部材は厚みが異なっていることを特徴とする請求項２記載の釣り用座布団。
【発明の詳細な説明】
【０００１】
【発明の属する技術分野】
本発明は、座って行う釣りに用いる釣り用座布団の改良に関する。
【０００２】
【従来の技術】
へらぶな釣り等の浮きを使用する釣りにおいて、特に、魚の当たりを取り易いように（浮きの動きが見やすいように）低い姿勢で座りたいという要求がある。このため、釣り人は座布団を地面に置いてこの上にあぐらで座り、自分の視線を出来るだけ低く水面に近くして、浮きを横から見るような姿勢で座って釣りを行うことが多い。
この様なことから、釣り専用の座布団が用いられるようになっているが、釣り人は、釣り場状況によって平らな座布団を好んだり、足置き部が座部より低くなっている座布団を好んだりするため、いずれの場合も対応できるようにするためには両方を持っていなければならなかった。
【０００３】
【特許文献１】実開平４−２２７７号公報
【０００４】
【特許文献１】には、釣り用ケ−スと組み合わせてクッション体を設け、あぐらを組めるような段付の座台となる携帯鞄型の座台が紹介されている。
しかし、この携帯鞄型の座台は足置き部が座部より低くなっている状態に組み立てることしかできず、足置き部と座部を同じ高さにすることが出来ない。
【０００５】
【発明が解決しようとする課題】
解決しようとする課題は、釣り人は、釣り場状況に対応できるようにするために、平らな座布団と足置き部が座部より低くなっている座布団の両方を持っていなければならないことである。
【０００６】
本発明の目的は前記欠点に鑑み、座部と足置き部の高さを同じにした平らな状態と、座部より足置き部を低くした状態に組み替えられ、１つの座布団で釣り場状況に対応できる釣り用座布団を提供することである。
【０００７】
【課題を解決するための手段】
上記課題を解決するために、
請求項１に係わる本発明は、複数の座布団部材をその周縁部で折り曲げ可能に接続し、座部と足置き部の高さを同じにした状態と座部より足置き部を低くした状態に組替えできることを要旨とするものである。
請求項２に係わる本発明は、座布団部材は厚さの大きい座布団部材とこれより厚みの小さい２枚の座布団部材からなり、前記厚みの小さい２枚の座布団部材の厚みを合わせると前記厚さの大きい座布団部材の厚さと同じであることを要旨とするものである。
請求項３に係わる本発明は、厚みの小さい２枚の座布団部材は厚さの大きい座布団部材の底面側に重ねて折り畳み可能であることを要旨とするものである。
請求項４に係わる本発明は、厚さの大きい座布団部材より厚みの小さい２枚の座布団部材は厚みが異なっていることを要旨とするものである。
【０００８】
【発明の実施の形態】
本発明により、座布団を座部αと足置き部βの高さ同じにした平らな状態と、座部αより足置き部βを低くした状態に組替えられるため、１つの座布団で釣り場状況に対応できる。
【０００９】
【実施例】
以下、図示の実施例によって本発明を説明すると、図１から図４は第１実施例で、図１は携帯用にまとめた釣り用座布団の斜視図、図２は釣り用座布団の断面側面図、図３は釣り用座布団の座部と足置き部の高さを同じにした平らな状態の斜視図、図４は釣り用座布団の座部より足置き部を低くした状態の斜視図である。
【００１０】
釣り用座布団は複数の厚さの異なる座布団部材Ａ、Ｂ、Ｃが周縁部の一側のエッジ部ａ、ｂ、ｃ、ｄで接続されてエッジ部ａ、ｂ、ｃ、ｄで折り曲げられて組み合わされることで高さが調整される。
複数の座布団部材Ａ、Ｂ、Ｃは上部側となる外装シ−ト１、２、３と接地側となる外装シ−ト４、５、６、７が縫着されて袋状に形成されてその中にクッション材１０、１１、１２が内装されて構成され、クッション材１０、１１、１２を出し入れする開口がチャック１３、１４、１５で閉塞されている。
エッジ部ａ、ｂ、ｃ、ｄにはクッション材が挿入されていない。
外装シ−ト１、２、３、４、５、６、７はポリウレタンやエチレン酢酸ビニ−ル等の合成樹脂のシ−トで柔軟性を有している。
夫々の外装シ−ト１、２、３及び夫々の外装シ−ト４、５、６、７は一体のシ−トであってもよいし、別体のシ−トを継ぎ合わせてもよい。
クッション材１０、１１、１２はポリウレタンやエチレン酢酸ビニ−ル等の合成樹脂発泡体で形成されている。
【００１１】
釣り用座布団の携帯を便利にするためには、図１のように座布団部材Ａの外装シ−ト１の一側側部に２本のベルト８、９の一端が固定され、他端にはベルベット式面ファスナが固定されて座布団部材Ｂの外装シ−ト２に固定されたベルベット式面ファスナ１６、１７に係合される。
座布団部材Ａの外装シ−ト１には手下げハンドル１８が固定されている。
【００１２】
複数の座布団部材Ａ、Ｂ、Ｃの厚さは、座布団部材Ａが最大に厚く、座布団部材Ｂ、Ｃの厚さを重ねた厚さと略等しい厚さに形成されている。
座布団部材Ｂの厚さは座布団部材Ａより小さく、座布団部材Ｃの厚さより厚く形成されている。
座布団部材Ｃの厚さは座布団部材Ｂの厚さより小さく形成されている。
【００１３】
釣り用座布団が使用される時、座部αと足置き部βの高さを同じにした平らな状態で使用したい時は、図３のように座布団部材Ａ単独に対して座布団部材Ｂと座布団部材Ｃが重ねられた状態で使用される。
座部αより足置き部βを低くして使用したい時は、図４のように座布団部材Ａの下に座布団部材Ｃを重ね、座布団部材Ｂを飛び出させた状態に組替えて使用される。
【００１４】
前記のように釣り用座布団が構成されると、座布団を座部αと足置き部βの高さを同じにした平らな状態と、座部αより足置き部βを低くした状態に組替えられるため、１つの座布団で釣り場状況に対応できる。
【００１５】
図５から図７は第２実施例で、図５は釣り用座布団の断面側面図、図６は釣り用座布団の座部と足置き部の高さを同じにした平らな状態の斜視図、図７は釣り用座布団の座部より足置き部を低くした状態の斜視図である。
【００１６】
第２実施例の釣り用座布団では、座布団部材Ａと座布団部材Ｃの周縁部のエッジ部ｅ、ｆが接続され、座布団部材Ｃと座布団部材Ｂの周縁部のエッジ部ｇ、ｈが接続されてエッジ部ｅ、ｆ、ｇ、ｈで折り曲げられて組み合わされることで高さが調整される。
他の構成は前記第１実施例と略同一である。
【００１７】
釣り用座布団が使用される時、座部αと足置き部βの高さを同じにした平らな状態で使用したい時は、図６のように座布団部材Ａ単独に対して座布団部材Ｂと座布団部材Ｃが重ねられた状態で使用される。
座部αより足置き部βを低くして使用したい時は、図７のように座布団部材Ａの下に座布団部材Ｃを重ね、座布団部材Ｂを飛び出させた状態に組替えて使用される。
【００１８】
【発明の効果】
本発明は、以上説明したような形態で実施され、以下に記載されるような効果を奏する。
【００１９】
座布団を座部と足置き部の高さ同じにした平らな状態と、座部より足置き部を低くした状態に組替えられるため、１つの座布団で釣り場状況に対応できる。
【図面の簡単な説明】
【図１】第１実施例で、携帯用にまとめた釣り用座布団の斜視図である。
【図２】同釣り用座布団の断面側面図である。
【図３】同釣り用座布団の座部と足置き部の高さを同じにした平らな状態の斜視図である。
【図４】同釣り用座布団の座部より足置き部を低くした状態の斜視図である。
【図５】第２実施例で、釣り用座布団の断面側面図である。
【図６】同釣り用座布団の座部と足置き部の高さを同じにした平らな状態の斜視図である。
【図７】同釣り用座布団の座部より足置き部を低くした状態の斜視図である。
【符号の説明】
α  座部
β  足置き部
Ａ、Ｂ、Ｃ  座布団部材
【図１】
2004173517.tif 000003
【図２】
2004173517.tif 000004
【図３】
2004173517.tif 000005
【図４】
2004173517.tif 000006
【図５】
2004173517.tif 000007
【図６】
2004173517.tif 000008
【図７】
2004173517.tif 000009